(57)【要約】      （修正有）【課題】手袋を装着した場合においても、指の自由度を確保でき、容易に外すことが可能な遊泳用手袋を提供する。【解決手段】５本の指挿入部１を有してゴム体の基材で、一体的に形成する。ゴム体の基材の厚さを約０．１〜０．３ｍｍとし、各指挿入部１同士の指の間を閉じた状態より指同士を５ｍｍ〜１０ｍｍ開いた状態の扇状面積を有する水掻き部２を形成する。手袋の手の甲に当たる部分に１個又は複数個の穴３を形成し、水掻き部２における指挿入部先端同士を連結する位置にゴム体の基材を厚くした肉厚部４を形成する。【選択図】図２
0003158525.tif 000002
【実用新案登録請求の範囲】
【請求項１】
５本の指挿入部を有してゴム体の基材で一体的に形成した手袋であって、
前記ゴム体の基材の厚さを約０．１〜０．３ｍｍとする一方、
前記各指挿入部同士の間に、通常（指同士を閉じた）状態より指同士を、
約５ｍｍ〜１０ｍｍ開いた状態の扇状面積を有する水掻き部を形成したことを特徴とする遊泳用手袋。
【請求項２】
前記手袋の手の甲に当たる部分に１個又は複数個の穴を形成した請求項１に記載の遊泳用手袋。
【請求項３】
前記水掻き部における前記指挿入部先端同士を連結する位置にゴム体の基材を厚くした肉厚部を形成したことを特徴とする請求項１又は請求項２に記載の遊泳用手袋。
【考案の詳細な説明】
【技術分野】
【０００１】  本考案は、海やプールで泳ぐ際に使用する遊泳用の手袋に関し、特に、サーフィン等のパドリング時、素潜、水泳の練習や海水浴時の使用に適した遊泳用手袋に関する。
【背景技術】
【０００２】  遊泳用手袋として、５本の指挿入部を有してゴム体の基材で一体的に形成した手袋については種々のものが提案されている。例えば、特許文献１には、手袋の指と指の問に水掻き部を設けた遊泳用の手袋が開示されている。
【先行技術文献】
【特許文献】
【０００３】
【特許文献１】実開平５−３３７４７号公報
【考案の概要】
【考案が解決しようとする課題】
【０００４】  しかしながら、上述した構造の手袋によると、手袋を構成するゴム体の基材はある程度の厚さがあり、且つ、指間に形成した水掻き部は伸縮性を有していないので、手袋を装着した状態で指を自由に動かすことができず、指を閉じた時に水掻き部がだぶついてそれが邪魔をして、手を使って何かを行う動作が困難という問題点があった。
更に、手袋を手に嵌めた場合、手に密着するので、外すときに内部の真空状態を直に解除することができず、手にまとわりついて外しづらいという間題点があった。【０００５】  本考案は上記実情に鑑みてなされたもので、指や手を容易に動かすことを可能とすることで、手袋を装着した場合においても指の自由度を確保でき、また、容易に外すことが可能な遊泳用手袋を提供することを目的としている。
【課題を解決するための手段】
【０００６】  上記目的を達成するため請求項１は、５本の指挿入部を有してゴム体の基材で一体的に形成した手袋であって、次の構成を含むことを特徴としている。
前記ゴム体の基材の厚さを約０．１〜０．３ｍｍとする。
前記各指挿入部同士の間に、通常（指同士を閉じた）状態より指同士を約５ｍｍ〜１０ｍｍ開いた状態の扇状面積を有する水掻き部を形成する。【０００７】  請求項２は、請求項１の遊泳用手袋において、前記手袋の手の甲に当たる部分に１個又は複数個の空気穴を形成したことを特徴としている。【０００８】  請求項３は、請求項１又は請求項２の遊泳用手袋において、水掻き部における指挿入部先端同士を連結する位置に破れ防止のために、ゴム体の基材を厚くした肉厚部を形成したことを特徴としている。
【考案の効果】
【０００９】  本考案によれば、通常（指同士を閉じた）状態より指同士を約５ｍｍ〜１０ｍｍ開いた状態の扇状面積を有する水掻き部を形成することで、水かき部の伸縮性を向上させることができ、手に遊泳用手袋を装着した状態においても水掻き部が伸縮するため指の自由度を確保することができ、指を動かすことが可能となるとともに、指を閉じた時も水掻き部のだぶつきを防止することができる。
そして、手袋を構成するゴム体の基材の厚さを約０．１〜０．３ｍｍとすることで、フィット感の高い手袋とすることができる。【００１０】  また、手袋の手の甲に当たる部分に一個又は複数個の穴を形成したことで、フィット感を高くしつつ手袋内部を真空状態になりにくくし、手袋を外すことを容易に行うことができる。【００１１】  更に、水掻き部における指挿入部先端同士を連結する位置にゴム体の基材を厚くした肉厚部を形成することで、破損に対する強度を確保することができる。
【図面の簡単な説明】
【００１２】
【図１】本考案の実施形態の一例としての遊泳用手袋の手の平側を示す平面説明図である。
【図２】遊泳用手袋の手の甲側（手の平と反対側）を示す平面説明図である。
【図３】遊泳用手袋を製造するに際して、通常状態より指同士の間隔を開いた状態の遊泳用手袋を示す平面説明図である。
【考案を実施するための形態】
【００１３】  本考案の実施の形態の一例としての遊泳用手袋について図１及び図２を参照しながら説明する。
遊泳用手袋は、伸縮性を有するゴム体の基材で手首より先端側を覆う形状に一体的に形成され、５本の各指にそれぞれフィットする形状の指挿入部１を有して構成され、手術用手袋のような外観を呈している。手袋を形成するゴム体の基材の厚さは、約０．１〜０．３ｍｍとすることで、手の平及び手の甲部分に密着してフィットするようになっている。
【００１４】  各指挿入部１同士の間には、通常（指同士を閉じた）状態より指同士を約５ｍｍ〜１０ｍｍ開いた状態の扇状面積を有する水掻き部２が形成されている。すなわち、手袋製造時において、図３に示すように、通常（指同士を閉じた）状態より指同士を約５ｍｍ〜１０ｍｍ開いた間隔を有する型枠等を使用して水掻き部２を成形することにより、水掻き部２の扇状面積を大きくすることができる。
そのため、手袋を装着した際に、指同士の間隔（約５ｍｍ〜１０ｍｍの小間隔）を特に広げることなく通常（指を閉じた）の状態とした場合には、水掻き部が撓む状態となるがだぶつくことを防止できるとともに、水掻き部２は小間隔を有しているので、指同士を開く方向に指を容易に動かすことが可能となる。また、水掻き部２は弾力性を有しているので、指を開いた場合には、小間隔以上に広げることができる。
【００１５】  手袋の手の甲に当たる部分及び指挿入部１の外側面には、手袋内部と連通する１個又は複数個の空気穴３が形成されている。空気穴３の存在により、手袋を手から外す時に、手袋内部に空気を進入し易くすることで手袋内部の真空状態をすみやかに解消し、手袋の内側面が手にまとわりつくのを防止して、手袋を容易に外すことが可能となる。
【００１６】  水掻き部２における指挿入部１の先端位置には、ゴム体の基材を厚くした略円形断面を有する肉厚部４が指先に沿って円弧状に連結するように形成されている。この肉厚部４の存在により、水掻き部２の破損に対する強度を確保することができる。
【００１７】  腕部分を覆う遊泳用手袋の根元部分は、開口側を広げ、周囲端にひだ５を形成することで、脱ぎやすくしている。
【００１８】  上述した遊泳用手袋によれば、通常（指を閉じた）状態より指同士を約５ｍｍ〜１０ｍｍ開いた以上の扇状面積を有する水掻き部２を有することで、手に遊泳用手袋を装着した状態においても指の自由度を確保することができ、使い勝手のよい手袋とすることができる。
また、手袋を構成するゴム体の基材の厚さを約０．１〜０．３ｍｍとすることで、フィット感の高い手袋とする一方、手の甲に当たる部分に１個又は複数個の空気穴３が形成されているので、手袋を手から外す時に空気が入り込むことで、容易に外すことが可能である。
【符号の説明】
【００１９】１…指挿入部、２…水掻き部、３…空気穴、４…肉厚部、５…ひだ。
【図１】
0003158525.tif 000003
【図２】
0003158525.tif 000004
【図３】
0003158525.tif 000005
【手続補正書】
【提出日】平成21年12月22日(2009.12.22)
【手続補正１】
【補正対象書類名】実用新案登録請求の範囲
【補正対象項目名】全文
【補正方法】変更
【補正の内容】
【実用新案登録請求の範囲】
【請求項１】
５本の指挿入部を有してゴム体の基材で一体的に形成した手袋であって、
前記ゴム体の基材の厚さを約０．１〜０．３ｍｍとする一方、
前記各指挿入部同士の指の間を閉じた状態よりも、かく指同士を、
５ｍｍ〜１０ｍｍ開いた状態の扇状面積を有する水掻き部を形成したことを、
特徴とする遊泳用手袋。
【請求項２】
前記手袋の手の甲に当たる部分に１個又は複数個の穴を形成した請求項１に記載の遊泳用手袋。
【請求項３】
前記水掻き部における前記指挿入部先端同士を連結する位置にゴム体の基材を厚くした肉厚部を形成したことを特徴とする請求項１又は請求項２に記載の遊泳用手袋。